(57)【要約】【課題】少ない面積で十分な容量の保持容量を形成可能にする。【解決手段】複数の走査線と複数のデータ線との交差に対応して画素が構成され、前記複数のデータ線に夫々接続された保持容量を有する電気光学装置であって、前記保持容量は、基板上に形成されて前記データ線に電気的に接続された下部電極と、前記下部電極上に第１の容量絶縁膜を介して形成され所定の固定電位点に接続される固定電極と、前記固定電極上に第２の容量絶縁膜を介して形成され前記下部電極と電気的に接続された上部電極と、を具備したことを特徴とする。【選択図】図１
2007199189.tif 000002
【特許請求の範囲】
【請求項１】
複数の走査線と複数のデータ線との交差に対応して画素電極が構成され、前記複数のデ
ータ線に夫々接続された保持容量を有する電気光学装置であって、
前記保持容量は、
基板上に形成されて前記データ線に電気的に接続された下部電極と、
前記下部電極上に第１の容量絶縁膜を介して形成され所定の固定電位点に接続される固
定電極と、
前記固定電極上に第２の容量絶縁膜を介して形成され前記下部電極と電気的に接続され
た上部電極と、
を具備したことを特徴とする電気光学装置。
【請求項２】
複数の走査線と複数のデータ線との交差に対応して画素電極が構成され、前記データ線
に電気的に接続された保持容量を有する電気光学装置であって、
前記保持容量は、
基板上に形成され所定の固定電位点に接続される第１の固定電極と、
前記第１の電極上に第１の容量絶縁膜を介して形成され前記データ線に電気的に接続さ
れた中継電極と、
前記第２の電極上に第２の容量絶縁膜を介して形成され前記第１の電極と電気的に接続
された第２の固定電極と、
を具備したことを特徴とする電気光学装置。
【請求項３】
前記保持容量は、前記画素電極が配置される表示領域の周辺領域に設けられることを特
徴とする請求項１又は２のいずれか一方に記載の電気光学装置。
【請求項４】
前記画素電極が配置される表示領域においては、前記データ線上に層間絶縁膜を介して
形成された表示領域内下部電極と、前記下部電極上に形成された表示領域内容量絶縁膜と
、前記表示領域内容量絶縁膜上に形成されて固定電位点に接続される表示領域内上部電極
とを有し、
前記下部電極は、前記表示領域内下部電極と同一層で構成され、
前記固定電極は、前記表示領域内上部電極と同一層で構成され、
前記上部電極は、前記画素電極と同一層で構成されることを特徴とする請求項１に記載
の電気光学装置。
【請求項５】
前記画素が配置される表示領域においては、前記データ線上に層間絶縁膜を介して形成
され固定電位点に接続される表示領域内下部電極と、前記下部電極上に形成された表示領
域内容量絶縁膜と、前記表示領域内容量絶縁膜上に形成された表示領域内上部電極とを有
し、
前記第１の固定電極は、前記表示領域内下部電極と同一層で構成され、
前記中継電極は、前記表示領域内上部電極と同一層で構成され、
前記第２の電極は、前記画素電極と同一層で構成されることを特徴とする請求項１に記
載の電気光学装置。
【請求項６】
請求項１乃至請求項５のいずれか１項に記載の電気光学装置を用いて構成したことを特
徴とする電子機器。
【発明の詳細な説明】
【技術分野】
【０００１】
本発明は、例えば液晶装置等に好適な電気光学装置及びその製造方法並びに電子機器に
関する。
【背景技術】
【０００２】
一般に電気光学装置、例えば、電気光学物質に液晶を用いて所定の表示を行う液晶装置
は、一対の基板間に液晶が挟持された構成となっている。このうち、ＴＦＴ駆動、ＴＦＤ
駆動等によるアクティブマトリクス駆動方式の液晶装置等の電気光学装置においては、縦
横に夫々配列された多数の走査線（ゲート線）及びデータ線（ソース線）の各交点に対応
して、画素電極及びスイッチング素子を基板（アクティブマトリクス基板）上に設けて構
成される。
【０００３】
ＴＦＴ素子等のスイッチング素子は、ゲート線に供給されるオン信号によってオンとな
り、ソース線を介して供給される画像信号を画素電極（透明電極（ＩＴＯ））に書込む。
これにより、画素電極と対向電極相互間の液晶層に画像信号に基づく電圧を印加して、液
晶分子の配列を変化させる。こうして、画素の透過率を変化させ、画素電極及び液晶層を
通過する光を画像信号に応じて変化させて画像表示を行う。
【０００４】
このようなスイッチング素子を構成する素子基板は、ガラス又は石英基板上に、所定の
パターンを有する半導体薄膜、絶縁性薄膜又は導電性薄膜を積層することによって構成さ
れる。
【０００５】
ところで、外部からビデオ信号線を介して供給され画像信号は、サンプルホールド回路
によってサンプリングされて各データ線に供給される。データ線に供給されたデータはデ
ータ線の配線容量によって保持され、オンとなったスイッチング素子を介して各画素電極
に書き込まれる。
【０００６】
従って、各画素電極への書き込みが完了するまで、データはデータ線において保持され
る必要がある。データ線に十分な保持容量を付加するために、従来、データ線に、サンプ
ルホールド回路のリーク防止のための保持容量を付加する技術が開示されている。
【０００７】
なお、特許文献１，２には、画素領域において、十分な容量の蓄積容量を形成する技術
が開示されている。
【特許文献１】特開２００１−３３０８５６号公報
【特許文献２】特開２００１−３３０８５７号公報
【発明の開示】
【発明が解決しようとする課題】
【０００８】
ところで、近年、素子の微細化が促進されている。これに伴い、配線パターンの細径化
が図られ、各配線間隔も狭くなってきており、保持容量の形成に許容されたスペースは小
さくなってきている。このため、データ線の保持容量として十分な容量を確保することが
困難となっており、画素電極への書き込み不良が生じやすくなっているという問題点があ
った。
【０００９】
本発明は、データ線の保持容量を多層構造で構成することにより、少ない面積で十分な
保持容量を確保することができる電気光学装置及び電子機器を提供することを目的とする
。
【課題を解決するための手段】
【００１０】
本発明に係る電気光学装置は、複数の走査線と複数のデータ線との交差に対応して画素
電極が構成され、前記複数のデータ線に夫々接続された保持容量を有する電気光学装置で
あって、前記保持容量は、基板上に形成されて前記データ線に電気的に接続された下部電
極と、前記下部電極上に第１の容量絶縁膜を介して形成され所定の固定電位点に接続され
る固定電極と、前記固定電極上に第２の容量絶縁膜を介して形成され前記下部電極と電気
的に接続された上部電極と、を具備したことを特徴とする。
【００１１】
このような構成によれば、保持容量は、下部電極、固定電極及び上部電極の多層構造で
あり、固定電極を下部電極及び上部電極が共用している。これにより、下部電極と固定電
極間で容量が構成され、上部電極と固定電極間で容量が構成される。固定電極は共用化さ
れており、小さい占有面積で十分な容量値を得ることができる。これにより、微細化によ
って保持容量の形成領域の面積が比較的狭い場合でも、十分な容量値を確保して、データ
線のデータを十分に保持することができ、画素電極への書き込み不良の発生を防止するこ
とができる。
【００１２】
また、本発明に係る電気光学装置は、複数の走査線と複数のデータ線との交差に対応し
て画素電極が構成され、前記データ線に電気的に接続された保持容量を有する電気光学装
置であって、前記保持容量は、基板上に形成され所定の固定電位点に接続される第１の固
定電極と、前記第１の電極上に第１の容量絶縁膜を介して形成され前記データ線に電気的
に接続された中継電極と、前記第２の電極上に第２の容量絶縁膜を介して形成され前記第
１の電極と電気的に接続された第２の固定電極と、を具備したことを特徴とする。
【００１３】
このような構成によれば、保持容量は、第１の固定電極、中継電極及び第２の固定電極
の多層構造であり、中継電極を第１及び第２の固定電極が共用している。これにより、第
１の固定電極と中継電極とで容量が構成され、第２の固定電極と中継電極とで容量が構成
される。中継電極は共用化されており、小さい占有面積で十分な容量値を得ることができ
る。これにより、微細化によって保持容量の形成領域の面積が比較的狭い場合でも、十分
な容量値を確保して、データ線のデータを十分に保持することができ、画素電極への書き
込み不良の発生を防止することができる。
【００１４】
また、本発明の一態様によれば、前記保持容量は、前記画素電極が配置される表示領域
の周辺領域に設けられることを特徴とする。
【００１５】
このような構成によれば、表示領域の周辺領域において、狭い面積で十分な保持容量を
得ることができる。
【００１６】
また、本発明の一態様によれば、前記画素電極が配置される表示領域においては、前記
データ線上に層間絶縁膜を介して形成された表示領域内下部電極と、前記下部電極上に形
成された表示領域内容量絶縁膜と、前記表示領域内容量絶縁膜上に形成されて固定電位点
に接続される表示領域内上部電極とを有し、前記下部電極は、前記表示領域内下部電極と
同一層で構成され、前記固定電極は、前記表示領域内上部電極と同一層で構成され、前記
上部電極は、前記画素電極と同一層で構成されることを特徴とする。
【００１７】
このような構成によれば、下部電極は、表示領域内下部電極と同一層で構成され、固定
電極は、表示領域内上部電極と同一層で構成される。これにより、工程数を増大させるこ
となく、小さい面積で十分な保持容量を得ることができる。
【００１８】
また、本発明の一態様によれば、前記画素電極が配置される表示領域においては、前記
データ線上に層間絶縁膜を介して形成され固定電位点に接続される表示領域内下部電極と
、前記下部電極上に形成された表示領域内容量絶縁膜と、前記表示領域内容量絶縁膜上に
形成された表示領域内上部電極とを有し、前記第１の固定電極は、前記表示領域内下部電
極と同一層で構成され、前記中継電極は、前記表示領域内上部電極と同一層で構成され、
前記第２の電極は、前記画素電極と同一層で構成されることを特徴とする。
【００１９】
このような構成によれば、第１の固定電極は、表示領域内下部電極と同一層で構成され
、中継電極は、表示領域内上部電極と同一層で構成される。これにより、工程数を増大さ
せることなく、小さい面積で十分な保持容量を得ることができる。
【００２０】
本発明に係る電子機器は、上記電気光学装置を用いて構成したことを特徴とする。
【００２１】
このような構成によれば、データ線の十分な保持容量によって画素電極への書き込み不
良が生じることはなく、高品位の画像表示が可能である。
【発明を実施するための最良の形態】
【００２２】
以下、図面を参照して本発明の実施の形態について詳細に説明する。
【００２３】
＜第１の実施の形態＞
図１は本発明の第１の実施の形態に係る電気光学装置に採用される保持容量の構造を示
す断面図である。また、図２は図１に対応した平面図である。本実施の形態は電気光学装
置としてＴＦＴ基板を用いた液晶装置に適用したものである。図３は本実施の形態におけ
る電気光学装置である液晶装置をその上に形成された各構成要素と共に対向基板側から見
た平面図である。図４はＴＦＴ基板と対向基板とを貼り合わせて液晶を封入する組立工程
終了後の液晶装置を、図３のＨ−Ｈ'線の位置で切断して示す断面図である。図５は電気
光学装置の回路構成を示す回路図である。図６は液晶装置の画素領域を構成する複数の画
素における各種素子、配線等の等価回路図である。図７は液晶装置の画素構造を詳細に示
す断面図である。また、なお、上記各図においては、各層や各部材を図面上で認識可能な
程度の大きさとするため、各層や各部材毎に縮尺を異ならしめてある。
【００２４】
先ず、図３乃至図７を参照して本実施の形態の電気光学装置である液晶装置の全体構成
について説明する。  
液晶装置は、図３及び図４に示すように、例えば、石英基板、ガラス基板、シリコン基
板を用いたＴＦＴ基板１０と、これに対向配置される、例えばガラス基板や石英基板を用
いた対向基板２０との間に液晶５０を封入して構成される。対向配置されたＴＦＴ基板１
０と対向基板２０とは、シール材５２によって貼り合わされている。
【００２５】
ＴＦＴ基板１０上には画素を構成する画素電極（ＩＴＯ）９ａ等がマトリクス状に配置
される。また、対向基板２０上には全面に対向電極（ＩＴＯ）２１が設けられる。ＴＦＴ
基板１０の画素電極９ａ上には、ラビング処理が施された配向膜１６が設けられている。
一方、対向基板２０上の全面に渡って形成された対向電極２１上にも、ラビング処理が施
された配向膜２２が設けられている。各配向膜１６，２２は、例えば、ポリイミド膜等の
透明な有機膜からなる。
【００２６】
図５は本実施の形態に係る電気光学装置の電気的な構成を示す回路図である。
【００２７】
図５に示すように、電気光学装置は、表示領域１０ａ及びこの表示領域１０ａを駆動す
るためのデータ線駆動回路１０１及び走査線駆動回路１０４を有する。
【００２８】
表示領域１０ａは、Ｘ方向に延在する複数の走査線１１ａとＹ方向に延在する複数のデ
ータ線６ａとの各交差に対応して、画素９が構成される。表示領域１０ａをＴＦＴ液晶パ
ネルによって構成した場合には、各画素９にはＴＦＴ及び画素電極が形成される。ＴＦＴ
は走査線１１ａを介して供給される走査信号によってオン，オフし、データ線６ａを介し
て供給されるデータを画素電極に印加する。
【００２９】
図６は図５中の表示領域１０ａ中の画素９をＴＦＴ素子によって構成した場合の等価回
路を示している。図６に示すように、画素領域においては、複数本の走査線１１ａと複数
本のデータ線６ａとが交差するように配線され、走査線１１ａとデータ線６ａとで区画さ
れた領域に画素電極９ａがマトリクス状に配置される。そして、走査線１１ａとデータ線
６ａの各交差部分に対応してＴＦＴ３０が設けられ、このＴＦＴ３０に画素電極９ａが接
続される。
【００３０】
ＴＦＴ３０は走査線１１ａのＯＮ信号によってオンとなり、これにより、データ線６ａ
に供給された画像信号が画素電極９ａに供給される。この画素電極９ａと対向基板２０に
設けられた対向電極２１との間の電圧が液晶５０に印加される。また、画素電極９ａと並
列に蓄積容量７０が設けられており、蓄積容量７０によって、画素電極９ａの電圧はソー
ス電圧が印加された時間よりも例えば３桁も長い時間の保持が可能となる。蓄積容量７０
によって、電圧保持特性が改善され、コントラスト比の高い画像表示が可能となる。
【００３１】
図７は一つの画素に着目した液晶装置の模式的断面図である。
【００３２】
画素電極９ａは、ＴＦＴ基板１０上に、マトリクス状に複数設けられており、画素電極
９ａの縦横の境界に各々沿ってデータ線６ａ及び走査線１１ａが設けられている。データ
線６ａは、後述するように、アルミニウム膜又はアルミニウム膜を含む積層構造からなり
、走査線１１ａは、例えば導電性のポリシリコン膜やタングステンシリサイド膜等からな
る。また、走査線１１ａは、半導体層１ａのうちチャネル領域１ａ’に対向するゲート電
極３ａに電気的に接続されている。すなわち、走査線１１ａとデータ線６ａとの交差する
箇所にはそれぞれ、走査線１１ａに接続されたゲート電極３ａとチャネル領域１ａ’とが
対向配置されて画素スイッチング用のＴＦＴ３０が構成されている。
【００３３】
ＴＦＴ基板１０上には、ＴＦＴ３０や画素電極９ａの他、これらを含む各種の構成が積
層構造をなして備えられている。この積層構造は、図１に示すように、下から順に、走査
線１１ａを含む第１層、ゲート電極３ａを含むＴＦＴ３０等を含む第２層、データ線６ａ
等を含む第３層、蓄積容量７０を含む第４層、画素電極９ａ及び配向膜１６等を含む第５
層からなる。また、第１層及び第２層間には下地絶縁膜１２が、第２層及び第３層間には
第１層間絶縁膜４１が、第３層及び第４層間には第２層間絶縁膜４２が、第４層及び第５
層間には第３層間絶縁膜４３が、それぞれ設けられており、前述の各要素間が短絡するこ
とを防止している。また、これら各種の絶縁膜１２、４１、４２及び４３には、例えば、
ＴＦＴ３０の半導体層１ａ中の高濃度ソース領域１ｄとデータ線６ａとを電気的に接続す
るコンタクトホール等もまた設けられている。以下では、これらの各要素について、下か
ら順に説明を行う。
【００３４】
第１層には、例えば、Ｔｉ（チタン）、Ｃｒ（クロム）、Ｗ（タングステン）、Ｔａ（
タンタル）、Ｍｏ（モリブデン）等の高融点金属のうちの少なくとも一つを含む、金属単
体、合金、金属シリサイド、ポリシリサイド、これらを積層したもの、或いは導電性ポリ
シリコン等からなる走査線１１ａが設けられている。この走査線１１ａは、平面的には、
水平方向にストライプ状にパターニングされていると共に、データ線６ａに沿って図６の
Ｙ方向に延びる突出部を有している。なお、隣接する走査線１１ａから延びる突出部は相
互に接続されることはなく、したがって、該走査線１１ａは１本１本分断されている。
【００３５】
これにより、走査線１１ａは、同一行に存在するＴＦＴ３０のＯＮ・ＯＦＦを一斉に制
御する機能を有することになる。また、走査線１１ａは、画素電極９ａが形成されない領
域を略埋めるように形成されていることから、ＴＦＴ３０に下側から入射しようとする光
を遮る機能をも有している。これにより、ＴＦＴ３０の半導体層１ａにおける光リーク電
流の発生を抑制し、フリッカ等のない高品質な画像表示が可能となる。
【００３６】
第２層には、ゲート電極３ａを含むＴＦＴ３０が設けられている。ＴＦＴ３０は、図１
に示すように、ＬＤＤ（Lightly Doped Drain）構造を有しており、その構成要素として
は、上述したゲート電極３ａ、例えばポリシリコン膜からなりゲート電極３ａからの電界
によりチャネルが形成される半導体層１ａのチャネル領域１ａ’、ゲート電極３ａと半導
体層１ａとを絶縁するゲート絶縁膜を含む絶縁膜２、半導体層１ａにおける低濃度ソース
領域１ｂ及び低濃度ドレイン領域１ｃ並びに高濃度ソース領域１ｄ及び高濃度ドレイン領
域１ｅを備えている。
【００３７】
なお、上述のＴＦＴ３０は、好ましくは図７に示したようにＬＤＤ構造をもつが、低濃
度ソース領域１ｂ及び低濃度ドレイン領域１ｃに不純物の打ち込みを行わないオフセット
構造をもってよいし、ゲート電極３ａをマスクとして高濃度で不純物を打ち込み、自己整
合的に高濃度ソース領域及び高濃度ドレイン領域を形成するセルフアライン型のＴＦＴで
あってもよい。また、本実施形態では、画素スイッチング用ＴＦＴ３０のゲート電極を、
高濃度ソース領域１ｄ及び高濃度ドレイン領域１ｅ間に１個のみ配置したシングルゲート
構造としたが、これらの間に２個以上のゲート電極を配置してもよい。このようにデュア
ルゲート、あるいはトリプルゲート以上でＴＦＴを構成すれば、チャネルとソース及びド
レイン領域との接合部のリーク電流を防止でき、オフ時の電流を低減することができる。
さらに、ＴＦＴ３０を構成する半導体層１ａは非単結晶層でも単結晶層でも構わない。単
結晶層の形成には、貼り合わせ法等の公知の方法を用いることができる。半導体層１ａを
単結晶層とすることで、特に周辺回路の高性能化を図ることができる。
【００３８】
以上説明した走査線１１ａの上、かつ、ＴＦＴ３０の下には、例えばシリコン酸化膜等
からなる下地絶縁膜１２が設けられている。下地絶縁膜１２は、走査線１１ａとＴＦＴ３
０とを絶縁する機能のほか、ＴＦＴ基板１０の全面に形成されることにより、ＴＦＴ基板
１０の表面研磨時における荒れや、洗浄後に残る汚れ等による画素スイッチング用のＴＦ
Ｔ３０の特性変化を防止する機能を有する。
【００３９】
この下地絶縁膜１２には、溝（コンタクトホール）１２ｃｖが形成されており、この溝
１２ｃｖを埋めるようにして、ゲート電極３ａの一部３ｂが形成されている。ゲート電極
３ａは、溝１２ｃｖを埋めるように、且つ、その下端が走査線１１ａと接するように形成
されている。従って、同一行の走査線１１ａとゲート電極３ａとは、同電位となる。なお
、走査線１１ａに平行するようにして、ゲート電極３ａを含む別の走査線を形成するよう
な構造を採用してもよい。この場合においては、該走査線１１ａと該別の走査線とは、冗
長的な配線構造をとることになる。これにより、例えば、該走査線１１ａの一部に何らか
の欠陥があって、正常な通電が不可能となったような場合においても、当該走査線１１ａ
と同一の行に存在する別の走査線が健全である限り、それを介してＴＦＴ３０の動作制御
を依然正常に行うことができることになる。
【００４０】
第３層には、データ線６ａが設けられている。このデータ線６ａは、ＴＦＴ３０の半導
体層１ａの延在する方向に一致するように、すなわち垂直方向に重なるようにストライプ
状に形成されている。このデータ線６ａは、例えば反射率が高いアルミニウム材料によっ
て形成されている。なお、データ線６ａを、下層にアルミニウム、上層に窒化チタンを用
いた多層構造で形成してもよい。
【００４１】
データ線６ａが、比較的低抵抗な材料たるアルミニウムを含むことにより、ＴＦＴ３０
、画素電極９ａに対する画像信号の供給を滞りなく実現することができる。
【００４２】
また、この第３層には、データ線６ａと同一膜として、第４層の蓄積容量７０との中継
用の中継層６ａ１が形成されている。これらは、平面的に見ると、データ線６ａと連続し
た平面形状を有するように形成されているのではなく、各者間はパターニング上分断され
るように形成されている。
【００４３】
中継層６ａ１は、データ線６ａと同一工程で、下層より順に、アルミニウムからなる層
、窒化チタンからなる層の多層構造を有する膜として形成されている。窒化チタン層は、
中継層６ａ１に対して形成するコンタクトホール８３のエッチングの突き抜け防止のため
のバリアメタルとして機能する。
【００４４】
第４層には、蓄積容量７０が設けられている。蓄積容量７０は、ＴＦＴ３０の高濃度ド
レイン領域１ｅ及び画素電極９ａに接続された画素電位側容量電極としての下部電極７１
と、固定電位側容量電極を含む容量線３００とが、誘電体膜７５を介して対向配置される
ことにより形成されている。この蓄積容量７０によれば、画素電極９ａにおける電位保持
特性を顕著に高めることが可能となる。また、蓄積容量７０は、画素電極９ａの形成領域
にほぼ対応する光透過領域には至らないように形成されているため（換言すれば、遮光領
域内に収まるように形成されているため）、電気光学装置全体の画素開口率は比較的大き
く維持され、これにより、より明るい画像を表示することが可能である。
【００４５】
より詳細には、下部電極７１は、金属膜からなり画素電位側容量電極として機能する。
ただし、下部電極７１は、金属又は合金を含む単一層膜又は多層膜から構成してもよい。
また、この下部電極７１は、画素電位側容量電極としての機能のほか、画素電極９ａとＴ
ＦＴ３０の高濃度ドレイン領域１ｅとを中継接続する機能をもつ。
【００４６】
容量線３００は、蓄積容量７０の固定電位側容量電極として機能する。なお、定電位源
としては、後述するデータ線駆動回路１０１に供給される正電源や負電源の定電位源でも
よいし、対向基板２０の対向電極２１に供給される定電位源でも構わない。この容量線３
００は、下層にアルミニウム層３０１、上層に窒化チタン層３０２の２層構造を有し、Ｔ
ＦＴ基板１０上において、各画素に対応するように島状に形成されている。下部電極７１
と容量線３００とは、ほぼ同一形状を有するように形成されている。
【００４７】
これにより、蓄積容量７０は、平面的に無駄な広がりを有さず、即ち画素開口率を低落
させることなく、且つ、当該状況下で最大限の容量値を実現し得ることになる。すなわち
、蓄積容量７０は、より小面積で、より大きな容量値をもつ。
【００４８】
誘電体膜７５は、例えば膜厚５〜２００ｎｍ程度の比較的薄い酸化シリコン膜、あるい
は窒化シリコン膜等から構成される。蓄積容量７０を増大させる観点からは、膜の信頼性
が十分に得られる限りにおいて、誘電体膜７５は薄いほどよい。
【００４９】
以上説明したＴＦＴ３０ないしゲート電極３ａ上、かつ、データ線６ａの下には、例え
ば、ＮＳＧ（ノンシリケートガラス）、ＰＳＧ（リンシリケートガラス）、ＢＳＧ（ボロ
ンシリケートガラス）、ＢＰＳＧ（ボロンリンシリケートガラス）等のシリケートガラス
膜、窒化シリコン膜や酸化シリコン膜等、あるいは好ましくはＮＳＧからなる第１層間絶
縁膜４１が形成されている。そして、この第１層間絶縁膜４１には、ＴＦＴ３０の高濃度
ソース領域１ｄと後述するデータ線６ａとを電気的に接続するコンタクトホール８１が開
孔されている。また、第１層間絶縁膜４１には、ＴＦＴ３０の高濃度ドレイン領域１ｅと
蓄積容量７０を構成する下部電極７１とを電気的に接続するために、コンタクトホール８
２が開孔されている。
【００５０】
データ線６ａの上、かつ、蓄積容量７０の下には、例えばＮＳＧ、ＰＳＧ，ＢＳＧ、Ｂ
ＰＳＧ等のシリケートガラス膜、窒化シリコン膜や酸化シリコン膜等、あるいは好ましく
はＴＥＯＳガスを用いたプラズマＣＶＤ法によって形成された第２層間絶縁膜４２が形成
されている。この第２層間絶縁膜４２には、ＴＦＴ３０の高濃度ドレイン領域１ｅと蓄積
容量７０の下部電極７１とを電気的に接続するためのコンタクトホール８３が開孔されて
いる。即ち、ＴＦＴ３０の高濃度ドレイン領域１ｅはコンタクトホール８２、中継層６ａ
１及びコンタクトホール８３を介して蓄積容量７０の下部電極７１に接続される。
【００５１】
第５層には、上述したように画素電極９ａがマトリクス状に形成され、該画素電極９ａ
上に配向膜１６が形成されている。そして、この画素電極９ａ下には、ＮＳＧ、ＰＳＧ、
ＢＳＧ、ＢＰＳＧ等のシリケートガラス膜、窒化シリコン膜や酸化シリコン膜等、あるい
は好ましくはＴＥＯＳガスを用いたプラズマＣＶＤ法にて成膜されるプラズマＴＥＯＳか
らなる第３層間絶縁膜４３が形成されている。この第３層間絶縁膜４３には、画素電極９
ａ及び蓄積容量７０の下部電極７１間を電気的に接続するためのコンタクトホール８４が
開孔されている。
【００５２】
第２及び第３層間絶縁膜４２，４３の表面は、ＣＭＰ（Chemical Mechanical Polishin
g）処理等により平坦化されている。平坦化された層間絶縁膜４２，４３の下方に存在す
る各種配線や素子等による段差に起因する液晶層５０の配向不良が低減される。
【００５３】
また、図２及び図３に示すように、対向基板２０には表示領域を区画する額縁としての
遮光膜５３が設けられている。また、対向基板２０には遮光膜２３も設けられる。対向基
板２０の全面には、上述したように、ＩＴＯ等の透明導電性膜が対向電極２１として形成
され、更に、対向電極２１の全面にはポリイミド系の配向膜２２が形成される。配向膜２
２は、液晶分子に所定のプレティルト角を付与するように、所定方向にラビング処理され
ている。
【００５４】
遮光膜５３の外側の領域には液晶を封入するシール材５２が、ＴＦＴ基板１０と対向基
板２０間に形成されている。シール材５２は対向基板２０の輪郭形状に略一致するように
配置され、ＴＦＴ基板１０と対向基板２０を相互に固着する。シール材５２は、ＴＦＴ基
板１０の１辺の一部において欠落しており、液晶５０を注入するための液晶注入口１０８
が形成される。貼り合わされたＴＦＴ基板１０及び対向基板２０相互の間隙には、液晶注
入口１０８より液晶が注入される。液晶注入後に、液晶注入口１０８を封止材１０９で封
止するようになっている。
【００５５】
シール材５２の外側の領域には、データ線６ａに画像信号を所定のタイミングで供給す
ることにより該データ線６ａを駆動するデータ線駆動回路１０１及び外部回路との接続の
ための外部接続端子１０２がＴＦＴ基板１０の一辺に沿って設けられている。この一辺に
隣接する二辺に沿って、走査線１１ａ及びゲート電極３ａに走査信号を所定のタイミング
で供給することによりゲート電極３ａを駆動する走査線駆動回路１０４が設けられている
。走査線駆動回路１０４は、シール材５２の内側の遮光膜５３に対向する位置においてＴ
ＦＴ基板１０上に形成される。また、ＴＦＴ基板１０上には、データ線駆動回路１０１、
走査線駆動回路１０４、外部接続端子１０２及び上下導通端子１０７を接続する配線１０
５が、遮光膜５３の３辺に対向して設けられている。
【００５６】
上下導通端子１０７は、シール材５２のコーナー部の４箇所のＴＦＴ基板１０上に形成
される。そして、ＴＦＴ基板１０と対向基板２０相互間には、下端が上下導通端子１０７
に接触し、上端が対向電極２１に接触する上下導通材１０６が設けられており、上下導通
材１０６によって、ＴＦＴ基板１０と対向基板２０との間で電気的な導通がとられている
。
【００５７】
図５において、データ線駆動回路１０１には、図３の外部接続端子１０２を介してデー
タ転送クロックやデータイネーブル信号等のデータ供給タイミング信号が与えられる。ま
た、走査線駆動回路１０４には、外部接続端子１０２を介して走査スタートパルスＤＹ及
び走査側転送クロックＣＬＹ等が与えられる。
【００５８】
走査線駆動回路１０４は、走査スタートパルスＤＹが入力されることにより、走査信号
を各走査線１１ａに順次出力する。なお、走査側転送クロックＣＬＹは、走査側の走査速
度を規定する信号で、この転送クロックに同期して走査信号が順次各走査線１１ａに送ら
れる。
【００５９】
入力端子１１１には、外部接続端子１０２を介してビデオ信号が入力される。データ線
駆動回路１０１は、データ供給タイミング信号に基づくタイミングでゲートＴＡ１〜ＴＡ
ｍを制御して、ビデオ信号１１２に転送されたビデオ信号を各データ線６ａ（各データ線
Ｓ１〜Ｓｍ）に供給する。
【００６０】
各データ線Ｓ１〜Ｓｍと端子１１５との間であって、表示領域１０ａの周辺領域には、
夫々データ線の保持容量Ｃ１〜Ｃｍが設けられている。端子１１５には所定の固定電位、
例えば、基準電位が供給されており、各保持容量Ｃ１〜Ｃｍは、各データ線Ｓ１〜Ｓｍに
供給されたビデオ信号を保持する。
【００６１】
なお、各データ線Ｓ１〜Ｓｍは、夫々ゲートＴＢ１〜ＴＢｍを介して端子１１４にも接
続されている。ゲートＴＢ１〜ＴＢｍは、端子１１３に供給された駆動信号によってオン
，オフして、各データ線Ｓ１〜Ｓｍに端子１１４からの電位をプリチャージすることがで
きるようになっている。
【００６２】
本実施の形態においては、データ線Ｓ１〜Ｓｍの端部に接続された保持容量Ｃ１〜Ｃｍ
は、多層構造で構成されるようになっている。図１はこの保持容量の構成を示す断面図で
ある。図２は保持容量形成領域における平面図である。
【００６３】
図１及び図２において、データ線６ａは、表示領域１０ａにおけるデータ線６ａ（デー
タ線Ｓ１〜Ｓｍ）に連続的に形成されたものである。データ線６ａ’はデータ線６ａから
離間し、端部が端子１１４に接続されている。保持容量形成領域に構成されるデータ線６
ａ，６ａ’についても、表示領域１０ａ内のデータ線６ａ，中継層６ａ’と同層で形成さ
れる。
【００６４】
データ線６ａ，６ａ’上には、層間絶縁膜８７が形成されている。この層間絶縁膜８７
は、例えば第２層間絶縁膜４２（図７参照）と同一層として形成することができる。層間
絶縁膜８７にはコンタクトホール８８，８９が開孔されている。これらのコンタクトホー
ル８８，８９は、第２層間絶縁膜４２に設けられたコンタクトホール８３と同時に開孔し
て形成することができる。
【００６５】
層間絶縁膜８７上には、表示領域１０ａの下部電極７１と同一層で形成された下部電極
としての中継ソース線９０（網掛け斜線部）が形成されている。中継ソース線９０は、コ
ンタクトホール８８，８９を埋めるように形成されて、データ線６ａとデータ線６ａ’と
を電気的に接続する。
【００６６】
中継ソース線９０上には、表示領域１０ａの誘電体膜７５と同一層で、誘電体膜９４が
形成されている。誘電体膜９４上には、表示領域１０ａの容量線３００と同一層で固定電
位側容量電極である固定電極９５が形成されている。
【００６７】
更に、本実施の形態においては、固定電極９５上には、誘電体膜９６が形成され、この
誘電体膜９６上には、金属材料による上部電極９７が形成されている。上部電極９７は、
画素電極がアルミニウム等の金属材料から形成されるときは、画素電極と同一層で形成す
ることができる。中継ソース線９０と上部電極９７との間には、層間絶縁膜９１が形成さ
れ、この層間絶縁膜９１には、中継ソース線９０と上部電極９７とを接続するためのコン
タクトホール９２，９３が開孔されている。コンタクトホール９２，９３によって、中継
ソース線９０と上部電極９７とは電気的に接続されて相互に同電位に維持される。固定電
極９５は、所定の固定電位に保持される。即ち、固定電極９５は、図５の端子１１５に接
続されるようになっている。
【００６８】
本実施の形態においては、中継ソース線９０、誘電体膜９４及び固定電極９５によって
第１の保持容量が形成され、上部電極９７、誘電体膜９６及び固定電極９５によって第２
の保持容量が形成される。各保持容量Ｃ１〜Ｃｍの容量は、第１及び第２の保持容量の和
の容量となる。第１及び第２の保持容量は、下部電極９０、固定電極９５及び上部電極９
７の表面の面積並びに誘電体膜９４，９６の膜厚によって決定される。誘電体膜９４，９
６の膜厚が相互に同一であれば、中継ソース線９０、固定電極９５及び上部電極９７によ
って、中継ソース線９０及び固定電極９５によって構成される容量の約２倍の容量値の保
持容量が得られる。
【００６９】
なお、隣接する保持容量を構成する中継ソース線９０同士及び上部電極９７同士は、電
気的に隔離される必要があるが、誘電体膜９４，９６は複数のデータ線６ａで共通に用い
ることができる。また、誘電体膜９４，９６によって絶縁が維持されるので、固定電極９
５についても、複数のデータ線６ａで共通に用いることができる。
【００７０】
また、中継ソース線９０と上部電極９７との接続に２つのコンタクトホール９２，９３
を用いたが、１つ以上のコンタクトホールを用いることで、両者の電気的な導通を図るこ
とができる。
【００７１】
このように、本実施の形態においては、共通の固定電極の上層及び下層に、中継ソース
線及び上部電極を配置して保持容量を構成しており、少ない面積で比較的大容量の保持容
量を構成することができる。また、中継ソース線は表示領域の下部電極と同一層で形成さ
れ、誘電体膜は表示領域の誘電体膜と同一層で形成され、固定電極は表示領域の容量電極
と同一層で形成することができ、工程数の増大を抑制しながら、十分な容量の保持容量を
構成することができる。
【００７２】
＜第２の実施の形態＞
図８は本発明の第２の実施の形態に係る電気光学装置に採用される保持容量の構造を示
す断面図である。また、図９は図８に対応した平面図である。また、図１０は表示領域に
おいて画素電位側容量電極が固定電位側容量電極よりも上方に形成された液晶パネルの一
例を示す断面図である。図８及び図９において図１及び図２と同一の構成要素には同一符
号を付して説明を省略する。また、図１０において図７と同一の構成要素には同一符号を
付して説明を省略する。
【００７３】
図１０においては蓄積容量１２０の構成が図７の蓄積容量７０の構成と異なる。第２層
間絶縁膜４２上には、容量線の一部であり固定電位側容量電極として機能する下部電極１
２１が形成される。下部電極１２１上には誘電体膜１２５が形成され、誘電体膜１２５上
に画素電位側容量電極となる上部電極１３０が形成される。上部電極１３０はコンタクト
ホール８３を埋めるように形成されて、コンタクトホール８３を介して中継層６ａ１に接
続されている。また、上部電極１３０はコンタクトホール８４を介して画素電極９ａに接
続される。
【００７４】
図８及び図９において、層間絶縁膜８７上には、図１０の固定電位側容量電極である下
部電極１２１と同一層で形成された第１の固定電極としての下部電極１４１（網掛け斜線
部）が形成されている。下部電極１４１上には、図１０の誘電体膜１２５と同一層で、誘
電体膜１４２が形成されている。誘電体膜１４２上には、図１０の上部電極１３０と同一
層で中継電極としての中継ソース線１４０が形成されている。中継ソース線１４０は、コ
ンタクトホール８８，８９を埋めるように形成されて、データ線６ａとデータ線６ａ’と
を電気的に接続する。
【００７５】
更に、本実施の形態においては、中継ソース線１４０上には、誘電体膜１４３が形成さ
れ、この誘電体膜１４３上には、金属材料による第２の固定電極としての上部電極１４４
が形成されている。中継ソース線１４０が形成されていない部分には、層間絶縁膜が形成
されており、この層間絶縁膜には、下部電極１４１と上部電極１４４とを電気的に接続す
るためのコンタクトホール１４５が開孔されている。コンタクトホール１４５によって、
下部電極１４１と上部電極１４４とは電気的に接続されて相互に同電位に維持される。下
部電極１４１及び上部電極１４４は固定電位側容量電極として所定の固定電位に維持され
る。即ち、下部電極１４１及び上部電極１４４は、図５の端子１１５に接続されるように
なっている。
【００７６】
本実施の形態においては、下部電極１４１、誘電体膜１４２及び中継ソース線１４０に
よって第１の保持容量が形成され、上部電極１４４、誘電体膜１４３及び中継電極１４０
によって第２の保持容量が形成される。各保持容量Ｃ１〜Ｃｍの容量は、第１及び第２の
保持容量の和の容量となる。第１及び第２の保持容量は、下部電極１４１、中継ソース線
１４０及び上部電極１４４の表面の面積並びに誘電体膜１４２，１４３の膜厚によって決
定される。誘電体膜１４２，１４３の膜厚が相互に同一であれば、下部電極１４１、中継
ソース線１４０及び上部電極１４４によって、下部電極１４１及び中継ソース線１４０に
よって構成される容量の約２倍の容量値の保持容量が得られる。
【００７７】
なお、隣接する保持容量を構成する中継ソース線１４０同士は、電気的に隔離される必
要があるが、誘電体膜１４２，１４３は複数のデータ線６ａで共通に用いることができる
。また、誘電体膜１４２，１４３によって絶縁が維持されるので、下部電極１４１及び上
部電極１４４についても、複数のデータ線６ａで共通に用いることができる。
【００７８】
また、下部電極１４１と上部電極１４４との接続に４つのコンタクトホール１４５を用
いる例を図示したが、１つ以上のコンタクトホールを用いることで、両者の電気的な導通
を図ることができる。
【００７９】
このように、本実施の形態においては、共通の中継ソース線の上層及び下層に、下部電
極及び上部電極を配置して保持容量を構成しており、少ない面積で比較的大容量の保持容
量を構成することができる。また、下部電極は表示領域の下部電極と同一層で形成され、
誘電体膜は表示領域の誘電体膜と同一層で形成され、中継ソース線は表示領域の上部電極
と同一層で形成することができ、工程数の増大を抑制しながら、十分な容量の保持容量を
構成することができる。
【００８０】
また、上記各実施の形態においては、極性反転駆動におけるデータ線のリーク量の非対
称性を緩和して、フリッカの発生を抑制することができるという効果を有する。
【００８１】
図１１はこの特性を説明するための説明図である。図１１（ａ）は第１及び第２の実施
の形態の特性を説明するためのものであり、図１１（ｂ）は従来例における特性を説明す
るためのものである。
【００８２】
図１１（ｂ）の従来例においては、保持容量は下部電極、上部電極及び誘電体層１５３
によって構成される。下部電極が下層のアルミニウム（Ａｌ）層１５１及び上層の窒化チ
タン（ＴｉＮ）層１５２によって構成され、上部電極も下層のアルミニウム層１５４及び
上層の窒化チタン層１５５によって構成されるものとする。誘電体層１５３は、その下層
に窒化チタン層１５２が配置され、その上層にアルミニウム層１５４が配置されることに
なる。
【００８３】
データ線の保持容量は、画素を極性反転駆動することから、例えばフィールド周期や水
平周期で、上部電極と下部電極の極性が反転する。ところが、アルミニウム（Ａｌ）と窒
化チタン（ＴｉＮ）とでは仕事関数の相違により、アルミニウムからの電子の供給量の方
が大きい。即ち、窒化チタンを正極性（＋）、アルミニウムを負極性（−）にした場合（
図１１（ｂ）の太線矢印の場合）には、その逆の場合（図１１（ｂ）の細線矢印の場合）
よりもリーク電流が大きくなってしまう。
【００８４】
即ち、従来例では、極性反転駆動によって、フィールド周期や水平周期で、リーク量が
変化し、画面上にフリッカとして現れてしまうという欠点があった。
【００８５】
これに対し、第１及び第２の実施の形態においては、図１１（ａ）に示すように、３層
構造を有する。各金属層は、下層がアルミニウム層であり、上層がＴｉＮ層である。即ち
、第１層は、下層にアルミニウム層１５１、上層に窒化チタン層１５２を有し、第２層は
、下層にアルミニウム層１５４、上層に窒化チタン層１５５を有し、第３層は、下層にア
ルミニウム層１５７、上層に窒化チタン層１５８を有する。第１層と第２層との間には、
誘電体層１５３が形成され、第２層と第３層との間には、誘電体膜１５６が形成される。
【００８６】
なお、第１層乃至第３層は、第１の実施の形態においては、夫々中継ソース線９０、固
定電極９５及び上部電極９７に相当し、第２の実施の形態においては、夫々下部電極１４
１、中継ソース線１４０及び上部電極１４４に相当する。
【００８７】
図１１（ａ）において、太線矢印はリーク電流が大きいことを示し、細線矢印はリーク
電流が小さいことを示している。例えば、第２層が正極性（＋）で、第１及び第３層が負
極性（−）であるものとすると、窒化チタン層１５５からアルミニウム層１５７へのリー
ク量は大きく、アルミニウム層１５４から窒化チタン層１５２へのリーク量は小さい。逆
に、第２層が負極性（−）で、第１及び第３層が正極性（＋）であるものとすると、アル
ミニウム層１５７から窒化チタン層１５５へのリーク量は小さく、窒化チタン層１５２か
らアルミニウム層１５４へのリーク量は大きい。
【００８８】
即ち、第１及び第２の実施の形態においては、正極性駆動時と負極性駆動時とでリーク
量が略同一となる。従って、極性反転駆動周期でフリッカが発生することを防止すること
が可能である。
【００８９】
なお、上記各実施の形態においては、保持容量の形成は、表示領域の各層の形成と同時
に行うものとして説明したが、表示領域とは異なる層で保持容量の各層を形成してもよい
。
【００９０】
また、上記各実施の形態においては、保持容量の上部電極については、表示領域に対応
する同一膜が存在しないものとして説明したが、例えば、ＬＣＯＳ（Liquid Crystal On 
Silicon）等に適用した場合には、保持容量の上部電極を、ＬＣＯＳの反射電極と同一膜
で形成することができる。この場合には、工程数を増加させることなく、容量値を増大さ
せることができる。
【００９１】
なお、上記各実施の形態の装置は、枚葉方式を採用して容量を低温形成によって製造す
ることができる。上記各実施の形態においては、蓄積容量及び保持容量をメタル層、誘電
体層及びメタル層で構成しており、メタル層上に形成する誘電体層は、低温処理で形成す
る必要がある。この場合において、膜質が良好な誘電体層を形成する手法として、枚葉方
式の熱ＣＶＤによって酸化膜又は窒化膜を成膜する方法がある。また、ＡＬＤ（アトミッ
クレイヤーデポジション）を採用した場合にも、低温形成で良好な膜質の誘電体膜を形成
可能である。
【００９２】
また、上記各実施の形態においては、表示領域の周辺の保持容量を形成する例について
説明したが、表示領域内の各画素の蓄積容量についても同様に適用可能である。
【００９３】
（電子機器）
次に、以上詳細に説明した電気光学装置をライトバルブとして用いた電子機器の一例た
る投射型カラー表示装置の実施形態について、その全体構成、特に光学的な構成について
説明する。ここに、図１２は、投射型カラー表示装置の説明図である。
【００９４】
図１２において、本実施形態における投射型カラー表示装置の一例たる液晶プロジェク
タ１１００は、駆動回路がＴＦＴアレイ基板上に搭載された液晶装置を含む液晶モジュー
ルを３個用意し、それぞれＲＧＢ用のライトパルブ１００Ｒ、１００Ｇ及び１００Ｂとし
て用いたプロジェクタとして構成されている。液晶プロジェクタ１１００では、メタルハ
ライドランプ等の白色光源のランプユニット１１０２から投射光が発せられると、３枚の
ミラー１１０６及び２枚のダイクロックミラー１１０８によって、ＲＧＢの三原色に対応
する光成分Ｒ、Ｇ及びＢに分けられ、各色に対応するライトバルブ１００Ｒ、１００Ｇ及
び１００Ｂにそれぞれ導かれる。この際特に、Ｂ光は、長い光路による光損失を防ぐため
に、入射レンズ１１２２、リレーレンズ１１２３及び出射レンズ１１２４からなるリレー
レンズ系１１２１を介して導かれる。そして、ライトバルブ１００Ｒ、１００Ｇ及び１０
０Ｂによりそれぞれ変調された三原色に対応する光成分は、ダイクロックプリズム１１１
２により再度合成された後、投射レンズ１１１４を介してスクリーン１１２０にカラー画
像として投射される。
【００９５】
また、本発明の電気光学装置は、パッシブマトリクス型の液晶表示パネルだけでなく、
アクティブマトリクス型の液晶パネル（例えば、ＴＦＴ（薄膜トランジスタ）やＴＦＤ（
薄膜ダイオード）をスイッチング素子として備えた液晶表示パネル）にも同様に適用する
ことが可能である。また、液晶表示パネルだけでなく、エレクトロルミネッセンス装置、
有機エレクトロルミネッセンス装置、プラズマディスプレイ装置、電気泳動ディスプレイ
装置、電子放出を用いた装置（Field Emission Display 及び Surface-Conduction Elect
ron-Emitter Display 等）、ＤＬＰ（Digital Light Processing）（別名ＤＭＤ：Digita
l Micromirror Device）等の各種の電気光学装置においても本発明を同様に適用すること
が可能である。
【００９６】
また、本発明は、半導体基板に素子を形成する表示用デバイス、例えばＬＣＯＳ（Liqu
id Crystal On Silicon）等にも適用可能である。
【００９７】
ＬＣＯＳでは素子基板として単結晶シリコン基板を用い、画素や周辺回路に用いるスイ
ッチング素子としてトランジスタを単結晶シリコン基板に形成する。また、画素には反射
型の画素電極を用い、画素電極の下層に画素の各素子を形成する。
【図面の簡単な説明】
【００９８】
【図１】本発明の第１の実施の形態に係る電気光学装置に採用される保持容量の構造を示す断面図。
【図２】図１に対応した平面図。
【図３】本実施の形態における電気光学装置である液晶装置をその上に形成された各構成要素と共に対向基板側から見た平面図。
【図４】ＴＦＴ基板と対向基板とを貼り合わせて液晶を封入する組立工程終了後の液晶装置を、図３のＨ−Ｈ'線の位置で切断して示す断面図。
【図５】電気光学装置の回路構成を示す回路図。
【図６】液晶装置の画素領域を構成する複数の画素における各種素子、配線等の等価回路図。
【図７】液晶装置の画素構造を詳細に示す断面図。
【図８】本発明の第２の実施の形態に係る電気光学装置に採用される保持容量の構造を示す断面図。
【図９】図８に対応した平面図。
【図１０】表示領域において画素電位側容量電極が固定電位側容量電極よりも上方に形成された液晶パネルの一例を示す断面図。
【図１１】フリッカの低減効果を説明するための説明図。
【図１２】電子機器の一例を示す説明図。
【符号の説明】
【００９９】
６ａ…データ線、８８，８９，９２，９３…コンタクトホール、９０…中継ソース線
、９５…固定電極、９７…上部電極。  
【図１】
2007199189.tif 000003
【図２】
2007199189.tif 000004
【図３】
2007199189.tif 000005
【図４】
2007199189.tif 000006
【図５】
2007199189.tif 000007
【図６】
2007199189.tif 000008
【図７】
2007199189.tif 000009
【図８】
2007199189.tif 000010
【図９】
2007199189.tif 000011
【図１０】
2007199189.tif 000012
【図１１】
2007199189.tif 000013
【図１２】
2007199189.tif 000014